(57)【特許請求の範囲】
【請求項１】
２つの干渉波除去用バンドパスフィルタと、２つの干渉波検出用バンドパスフィルタと、遅延部と、干渉波除去部と、干渉波検出部と、干渉波レプリカ生成部とを有し、
第１の干渉波除去用バンドパスフィルタは、入力された受信信号の帯域外の干渉波を除去して所定帯域の受信信号を通過させ、
第２の干渉波除去用バンドパスフィルタは、入力されたレファレンス信号に対して前記第１の干渉波除去用バンドパスフィルタと同じ周波数と帯域を設定して前記レファレンス信号を通過させ、
第１の干渉波検出用バンドパスフィルタは、前記第１の干渉波除去用バンドパスフィルタで通過させた所定帯域の受信信号の通信帯域に対して周波数上で一番多く重なり干渉している干渉波の一つを通過させるように周波数と帯域を設定して入力された受信信号を通過させ、
第２の干渉波検出用バンドパスフィルタは、入力されたレファレンス信号に対して前記第１の干渉波検出用バンドパスフィルタと同じ周波数と帯域を設定して前記レファレンス信号を通過させ、
前記遅延部は前記第１の干渉波除去用バンドパスフィルタから出力された信号を前記干渉波レプリカ生成部から出力される干渉波レプリカに合わせて所定時間遅延させ、
前記干渉波検出部は、前記第１の干渉波検出用バンドパスフィルタ及び前記第２の干渉波検出用バンドパスフィルタを通過した信号から干渉波を検出し、
前記干渉波レプリカ生成部は、前記第２の干渉波除去用バンドパスフィルタを通過した信号と前記干渉波検出部から出力された干渉波検出情報から干渉波レプリカを生成し、
前記干渉波除去部は、前記遅延部から出力された信号から前記干渉波レプリカ生成部で生成した干渉波レプリカを用いて干渉波を除去することを特徴とする干渉波除去装置。
【請求項２】
２つの干渉波除去用バンドパスフィルタと、干渉波検出用バンドパスフィルタと、遅延部と、干渉波除去部と、干渉波検出部と、干渉波レプリカ生成部とを有し、
第１の干渉波除去用バンドパスフィルタは、入力された受信信号の帯域外の干渉波を除去して所定帯域の受信信号を通過させ、
第２の干渉波除去用バンドパスフィルタは、入力されたレファレンス信号に対して前記第１の干渉波除去用バンドパスフィルタと同じ周波数と帯域を設定して前記レファレンス信号を通過させ、
干渉波検出用バンドパスフィルタは、入力されたレファレンス信号に対して前記第１の干渉波除去用バンドパスフィルタで通過させた所定帯域の受信信号の通信帯域に対して周波数上で一番多く重なり干渉している干渉波の一つを通過させるように周波数と帯域を設定して前記レファレンス信号を通過させ、
前記遅延部は前記第１の干渉波除去用バンドパスフィルタから出力された信号を前記干渉波レプリカ生成部から出力される干渉波レプリカに合わせて所定時間遅延させ、
前記干渉波検出部は、前記第１の干渉波除去用バンドパスフィルタ及び前記干渉波検出用バンドパスフィルタを通過した信号から干渉波を検出し、
前記干渉波レプリカ生成部は、前記第２の干渉波除去用バンドパスフィルタを通過した信号と前記干渉波検出部から出力された干渉波検出情報から干渉波レプリカを生成し、
前記干渉波除去部は、前記遅延部から出力された信号から前記干渉波レプリカ生成部で生成した干渉波レプリカを用いて干渉波を除去することを特徴とする干渉波除去装置。
【発明の詳細な説明】
【技術分野】
【０００１】
本発明は、無線通信システムにおける受信装置に関し、特に受信装置にて受信した信号に含まれる干渉波信号を除去する干渉波除去装置に関するものである。
【背景技術】
【０００２】
従来の無線通信システムにおいて、所望の信号に対して他のシステムの信号が干渉波信号となり、通信環境が劣化する場合がある。
図２は従来の干渉波除去装置を説明するためのブロック図である。
図２において、干渉波除去装置２０は、バンドパスフィルタ２１，２２、遅延部１３、干渉波検出部１４、干渉波レプリカ生成部１５、干渉波除去部１６で構成されている。
図３は１つの干渉源から発生する周波数方向に複数連なる干渉波を示す図である。図４は従来のバンドパスフィルタの周波数と通過帯域を示す図である。図５は従来の干渉波の検出を誤ることがあるバンドパスフィルタと干渉波の位置を示す図である。図６はバンドパスフィルタにより通信帯域の一部を通過しないことを示す図である。
【０００３】
干渉波は、１つの干渉源から図３のように周波数方向に複数の干渉波が連なる場合や、単独の干渉波の場合がある。
干渉波除去装置は、図３のような干渉波を受信した場合、図４のように基地局及び通信端末が通信する帯域（通信帯域）をカバーするようにバンドパスフィルタ２１内の干渉波を除去する。
従来の干渉波除去装置２０は、図４のようにバンドパスフィルタ２１に１つの干渉波がある場合は、問題ないが、図５のように通信帯域とバンドパスフィルタ１１に周波数軸上に連なる２つの干渉波がある場合は、干渉波検出部１４において、わずかに受信している干渉波Ａの影響により干渉波の検出が誤ることがある。
干渉波の検出が誤ると正しい干渉波レプリカ信号が生成できずに干渉波の除去性能が劣化することがある。
また、干渉波Ａを受信しないようにバンドパスフィルタ２１を図６のようにするとバンドパスフィルタ２１が通信帯域の一部を通過させないために通信品質が劣化する。
【０００４】
先行技術文献としては、例えば、特許文献１に、回り込み波をキャンセルする際、アナログ波やマルチパスの混入が避けられない環境においても、ＦＦＴ窓位置ずれの影響が高精度で除去できる発明が開示されている。
【先行技術文献】
【特許文献】
【０００５】
【特許文献１】特開２００９−２７２７６７号公報
【発明の概要】
【発明が解決しようとする課題】
【０００６】
図５に示すように、通信帯域とバンドパスフィルタ２１内に周波数軸上に連なる２つの干渉波がある場合は、干渉波検出部１４において、干渉波Ａの一部を受信した影響により干渉波信号の検出誤りを発生させることがあり、干渉波の除去性能が劣化する問題がある。
本発明の目的は、干渉波の検出精度を向上させることにより、干渉波の除去性能を向上させることである。
【課題を解決するための手段】
【０００７】
本発明の干渉波除去装置は、２つの干渉波除去用バンドパスフィルタと２つの干渉波検出用バンドパスフィルタと遅延部と干渉波除去部と干渉波検出部と干渉波レプリカ生成部とを有し、第１の干渉波除去用バンドパスフィルタは所定帯域の受信信号を通過させ、遅延部は第１の干渉波除去用バンドパスフィルタから出力された信号を所定時間遅延させ、干渉波検出部は第１の干渉波検出用バンドパスフィルタで所定帯域を通過させた受信信号と第２の干渉波検出用バンドパスフィルタで所定帯域を通過させたレファレンス信号から干渉波を検出し、干渉波レプリカ生成部は第２の干渉波除去用バンドパスフィルタで所定帯域を通過させたレファレンス信号と前記干渉波検出部から出力された干渉波検出情報から干渉波レプリカを生成し、干渉波除去部は遅延部から出力された信号から干渉波レプリカ生成部で生成した干渉波レプリカを用いて干渉波を除去することを特徴とする。
【０００８】
また、本発明の干渉波除去装置は、２つの干渉波除去用バンドパスフィルタと干渉波検出用バンドパスフィルタと遅延部と干渉波除去部と干渉波検出部と干渉波レプリカ生成部とを有し、第１の干渉波除去用バンドパスフィルタは所定帯域の受信信号を通過させ、遅延部は第１の干渉波除去用バンドパスフィルタから出力された信号を所定時間遅延させ、干渉波検出部は第１の干渉波除去用バンドパスフィルタで所定帯域を通過させた受信信号と干渉波検出用バンドパスフィルタで所定帯域を通過させたレファレンス信号から干渉波を検出し、干渉波レプリカ生成部は第２の干渉波除去用バンドパスフィルタで所定帯域を通過させたレファレンス信号と干渉波検出部から出力された干渉波検出情報から干渉波レプリカを生成し、干渉波除去部は遅延部から出力された信号から干渉波レプリカ生成部で生成した干渉波レプリカを用いて干渉波を除去することを特徴とする。
【０００９】
さらに、本発明の干渉波除去装置は、上記の干渉波除去装置であって、第1及び第２の干渉波検出用バンドパスフィルタは干渉波に合わせて通過帯域を設定することを特徴とする。
【発明の効果】
【００１０】
本発明によれば、干渉波の検出精度を向上させることにより、干渉波の除去性能が向上できる。
【図面の簡単な説明】
【００１１】
【図１】本発明の一実施例に係る干渉波除去装置を説明するためのブロック図である。
【図２】従来の干渉波除去装置を説明するためのブロック図である。
【図３】１つの干渉源から発生する周波数方向に複数連なる干渉波を示す図である。
【図４】従来のバンドパスフィルタの周波数と通過帯域を示す図である。
【図５】従来の干渉波の検出を誤ることがあるバンドパスフィルタと干渉波の位置を示す図である。
【図６】バンドパスフィルタにより通信帯域の一部を通過しないことを示す図である。
【図７】本発明の一実施例に係る干渉波除去装置の各バンドパスフィルタの周波数と帯域の設定を示す図である。
【図８】干渉波除去用バンドパスフィルタの設定を示す図である。
【図９】干渉波除去用バンドパスフィルタが周波数軸上に複数連なる干渉波を受信していることを示す図である。
【図１０】干渉波検出用バンドパスフィルタの設定を示す図である。
【図１１】通信帯域が周波数軸上に複数連なる干渉波を受信した時の干渉波検出用バンドパスフィルタの設定を示す図である。
【図１２】本発明の一実施例に係る干渉波除去装置の受信信号とレファレンス信号の干渉波検出用バンドパスフィルタが異なる周波数及び帯域を設定したことを示す図である。
【図１３】本発明の他の一実施例に係る干渉波除去装置を説明するためのブロック図である。
【発明を実施するための形態】
【００１２】
以下、本発明の実施形態について図面を参照して詳細に説明する。
図１は本発明の一実施例に係る干渉波除去装置を説明するためのブロック図である。
図１において、干渉波除去装置１０は、干渉波除去用バンドパスフィルタ１１，１７、干渉波検出用バンドパスフィルタ１２，１８、遅延部１３、干渉波検出部１４、干渉波レプリカ生成部１５、干渉波除去部１６で構成されている。
【００１３】
図１において、干渉波除去装置１０は、受信信号を入力し、干渉波除去用バンドパスフィルタ１１で受信信号の帯域外の干渉波を除去し、該干渉波を除去した受信信号を遅延部１３で干渉波レプリカ生成部１５から出力される干渉波レプリカに合わせて所定時間遅延し、干渉波除去部１６で干渉波レプリカ生成部１５から出力された干渉波レプリカを基に干渉波を除去し、干渉波除去後信号として出力する。
【００１４】
干渉波検出部１４は、干渉波検出用バンドパスフィルタ１２で所定の帯域を通過させた受信信号と、干渉波検出用バンドパスフィルタ１８で所定の帯域を通過させたレファレンス信号から干渉波を検出して、干渉波レプリカ生成部１５に出力する。
干渉波レプリカ生成部１５は、干渉波検出部１４から出力された信号と、干渉波除去用バンドパスフィルタ１７で所定の帯域を通過させたレファレンス信号から干渉波レプリカ信号を生成して干渉波除去部１６に出力する。
なお、レファレンス信号とは、受信信号に含まれる理想的な干渉波成分のみの信号である。レファレンス信号としては、既知の信号であれば事前に装置内もしくは装置外に取り付けた信号発生器により生成して入力させたり、レファレンス信号専用の受信装置を経て入力させたりする。また、干渉波レプリカ信号とは、干渉波信号をキャンセルできるようにした信号である。
【００１５】
干渉波除去用バンドパスフィルタ１１，１７と干渉波検出用バンドパスフィルタ１２，１８は、干渉波の検出精度を向上させるものである。
最初に、干渉波除去用バンドパスフィルタ１１，１７と干渉波検出用バンドパスフィルタ１２，１８の周波数と帯域は、通信帯域と通信帯域に干渉する干渉波の位置によって、設定する。
【００１６】
図８は干渉波除去用バンドパスフィルタの設定を示す図である。
図８に示すように、干渉波除去用バンドパスフィルタ１１，１７は、通信帯域内の干渉波を除去するために通信帯域をカバーするように周波数と帯域を設定する。
図９は干渉波除去用バンドパスフィルタが周波数軸上に複数連なる干渉波を受信していることを示す図である。
干渉波除去用バンドパスフィルタ１１，１７は、図９に示すように周波数軸上に連なる複数の干渉波を受信してもよい。
【００１７】
図１０は干渉波検出用バンドパスフィルタの設定を示す図である。
干渉波検出用バンドパスフィルタ１２，１８は、図１０に示すように干渉波を正しく検出するために１つの干渉波を検出するように周波数と帯域を設定する。
図１０では、干渉波Ａ、Ｂ及びＣがあるが、通信帯域を干渉する干渉波Ｂを通過させるように干渉波検出用バンドパスフィルタ２の周波数と帯域を設定した方が良い。
図１１は通信帯域が周波数軸上に複数連なる干渉波を受信した時の干渉波検出用バンドパスフィルタの設定を示す図である。
図１１では、干渉波Ａ、干渉波Ｂ及び干渉波Ｃがある。通信帯域を干渉する干渉波は、干渉波Ａと干渉波Ｂであるが、通信帯域に対して多く干渉している干渉波Ｂを通過させるように干渉波検出用バンドパスフィルタ１２，１８の周波数と帯域を設定した方が良い。
【００１８】
図１２は本発明の一実施例に係る干渉波除去装置の受信信号とレファレンス信号の干渉波検出用バンドパスフィルタが異なる周波数及び帯域を設定したことを示す図である。
図１２に示すように、受信信号に含まれる干渉波とレファレンス信号の干渉成分に周波数偏差が有る場合は、干渉波の検出精度を向上させるために受信信号の干渉波検出用バンドパスフィルタ１２とレファレンス信号の干渉波検出用バンドパスフィルタ１８の周波数及び帯域が異なっていても良い。
また、干渉波の除去性能を向上させるために、受信信号の干渉波除去用バンドパスフィルタ１１と、レファレンス信号の干渉波除去用バンドパスフィルタ１７の周波数及び帯域が異なっていても良い。
【００１９】
図１３は本発明の他の一実施例に係る干渉波除去装置を説明するためのブロック図である。
図１３において、干渉波除去装置３０は、干渉波除去用バンドパスフィルタ１１，１７、干渉波検出用バンドパスフィルタ１８、遅延部１３、干渉波検出部１４、干渉波レプリカ生成部１５、干渉波除去部１６で構成されている。
【００２０】
図１３において、干渉波除去装置３０は、受信信号を入力し、干渉波除去用バンドパスフィルタ１１で受信信号の帯域外の干渉波を除去し、該干渉波を除去した受信信号を遅延部１３で干渉波レプリカ生成部１５から出力される干渉波レプリカに合わせて所定時間遅延し、干渉波除去部１６で干渉波レプリカ生成部１５から出力された干渉波レプリカを基に干渉波を除去し、干渉波除去後信号として出力する。
【００２１】
干渉波検出部１４は、干渉波除去用バンドパスフィルタ１１で所定の帯域を通過させた受信信号と、干渉波検出用バンドパスフィルタ１８で所定の帯域を通過させたレファレンス信号から干渉波を検出して、干渉波レプリカ生成部１５に出力する。
干渉波レプリカ生成部１５は、干渉波検出部１４から出力された信号と、干渉波除去用バンドパスフィルタ１７で所定の帯域を通過させたレファレンス信号から干渉波レプリカを生成して干渉波除去部１６に出力する。
【００２２】
本発明の実施例では、干渉波除去装置１０図１が最も好ましい構成であるが、干渉波除去装置内の回路規模の削減を目的に図１３のように受信信号の干渉波検出用バンドパスフィルタ１２を用いず、干渉波除去用バンドパスフィルタ１１の信号を干渉波検出部１４に入力しても従来技術の干渉波除去装置２０より、干渉波の検出精度を向上させ、干渉波の除去性能を向上させることができる。
【００２３】
本発明の実施形態である干渉波除去装置は、干渉波の検出精度を向上させ、干渉波の除去性能を向上させることができる。
【００２４】
以上本発明について詳細に説明したが、本発明は、ここに記載された干渉波除去装置に限定されるものではなく、本発明の趣旨を逸脱しない範囲で種々変更して実施することができる。
【産業上の利用可能性】
【００２５】
周波数方向に複数の干渉波が連なる環境の電波を受信する受信機の用途に適用できる。
【符号の説明】
【００２６】
１０，２０，３０：干渉波除去装置、１１，１７：干渉波除去用バンドパスフィルタ、１２、１８：干渉波検出用バンドパスフィルタ、１３：遅延部、１４：干渉波検出部、１５：干渉波レプリカ生成部、１６：干渉波除去部、２１，２２：バンドパスフィルタ。
【図１】
0006653531.tif 000002
【図２】
0006653531.tif 000003
【図３】
0006653531.tif 000004
【図４】
0006653531.tif 000005
【図５】
0006653531.tif 000006
【図６】
0006653531.tif 000007
【図７】
0006653531.tif 000008
【図８】
0006653531.tif 000009
【図９】
0006653531.tif 000010
【図１０】
0006653531.tif 000011
【図１１】
0006653531.tif 000012
【図１２】
0006653531.tif 000013
【図１３】
0006653531.tif 000014